(57)【要約】【課題】アウターベルトモールの製造ラインの大型化やコストアップを抑制しながら、アウターベルトモールに複数のテープを固着させることができるようにする。【解決手段】押出成形機２４によりアウターベルトモール１１の本体部を押出成形する押出成形工程を実行する。この際、押出成形機２４の口金２７の内部に形成されたテープ案内通路２９によって第一のテープ２２を口金２７内の加熱状態のアウターベルトモール１１の第一のシールリップの表面に案内して、第一のテープ２２を第一のシールリップに固着させる第一のテープ固着工程と、押出成形機２４の口金２７の下流側端面に隣接して配置されたテープ案内治具３０によって第二のテープ２３を口金２７から出た直後の加熱状態のアウターベルトモール１１の第二のシールリップの表面に案内して、第二のテープ２３を第二のシールリップに固着させる第二のテープ固着工程とを実行する。【選択図】図１
2017100395.tif 000002
【特許請求の範囲】
【請求項１】
車両の車体パネルに取り付けられる取付部と該取付部から突出して他の部材に当接する少なくとも一つの当接部とが押出成形機により押出成形されて設けられ、前記当接部の少なくとも一部にテープが固着された長尺体を製造する方法であって、
前記押出成形機の口金の内部に形成されたテープ案内通路によって第一のテープを前記長尺体の第一のテープ固着面に案内して固着させる第一のテープ固着工程と、
前記押出成形機の口金の下流側端面に隣接して配置されたテープ案内治具によって第二のテープを前記長尺体の第二のテープ固着面に案内して固着させる第二のテープ固着工程と
を含むことを特徴とする長尺体の製造方法。
【請求項２】
前記口金の下流側端面と前記テープ案内治具との間に前記第二のテープを挿通可能なテープ通路が形成されていることを特徴とする請求項１に記載の長尺体の製造方法。
【請求項３】
前記長尺体には、第一の当接部と第二の当接部が設けられ、
前記第一のテープ固着工程において、前記第一のテープ固着面として前記第一の当接部の表面に前記第一のテープを固着させ、
前記第二のテープ固着工程において、前記第二のテープ固着面として前記第二の当接部の表面に前記第二のテープを固着させることを特徴とする請求項１又は２に記載の長尺体の製造方法。
【請求項４】
前記第一の当接部と前記第二の当接部は、前記取付部の同じ面に設けられ且つ前記長尺体の長手方向に平行に延びるように並んでいることを特徴とする請求項３に記載の長尺体の製造方法。
【請求項５】
前記長尺体には、装飾部が設けられ、
前記第一のテープ固着工程において、前記第一のテープ固着面として前記装飾部の表面に前記第一のテープを固着させ、
前記第二のテープ固着工程において、前記第二のテープ固着面として前記当接部の表面に前記第二のテープを固着させることを特徴とする請求項１又は２に記載の長尺体の製造方法。
【請求項６】
前記第一のテープと前記第二のテープのうちの少なくとも一方は、薄膜状の基材と該基材の表面に立設された無数の繊維とを有する植毛テープであることを特徴とする請求項１乃至５のいずれかに記載の長尺体の製造方法。
【発明の詳細な説明】
【技術分野】
【０００１】
本発明は、車両に取り付けられる長尺体の製造方法に関する発明である。
【背景技術】
【０００２】
車両に取り付けられる長尺体としては、例えば、車両ドアの窓開口下縁に取り付けられるアウターベルトモールやインナーベルトモール、車両ドアの昇降窓の周囲をガイドするガラスランチャンネル等が知られている。
【０００３】
このような長尺体においては、特許文献１（特開平１１−２９１３２１号公報）に記載されているように、モールディング本体を押出成形する押出成形機のダイに別押出体供給路を形成し、モールディング本体を押出成形しながら、別押出体供給路を通して供給されるテープ状部材（成形体の表面に装飾フィルムを接合した別押出体）をモールディング本体に溶融接合するようにしたものがある。
【０００４】
また、特許文献２（特開平４−１８９１３４号公報）に記載されているように、ガラスランチャンネルのゴム基体を押出成形する押出成形機の下流側に熱風加硫装置を配置すると共に、この熱風加硫装置の下流側に圧着ローラを配置し、押出成形機で押出成形されたゴム基体を熱風加硫装置で加熱して加硫させた後、圧着ローラで、加硫直後で余熱状態のゴム基体の表面に、テープ状部材（積層フィルムを接着した被接着部材）を溶着するようにしたものもある。
【先行技術文献】
【特許文献】
【０００５】
【特許文献１】特開平１１−２９１３２１号公報
【特許文献２】特開平４−１８９１３４号公報
【発明の概要】
【発明が解決しようとする課題】
【０００６】
ところで、車両に取り付けられるモールディングやガラスランチャンネル等の長尺体においては、複数のテープ（例えば植毛テープや装飾テープ等）を固着させる必要が生じる場合もある。このような場合、上記特許文献１の技術では、押出成形機のダイに複数のテープ用通路を形成する必要があるが、製品形状等によっては押出成形機のダイに複数のテープ用通路を形成するスペースを確保できない可能性がある。また、上記特許文献２の技術では、押出成形機の下流側に、押出成形体を加熱する加熱装置とテープを圧着する圧着ローラの組み合わせを複数設ける必要があり、製造ラインの大型化やコストアップを招く可能性がある。
【０００７】
そこで、本発明が解決しようとする課題は、製造ラインの大型化やコストアップを抑制しながら、長尺体に複数のテープを固着させることができる長尺体の製造方法を提供することにある。
【課題を解決するための手段】
【０００８】
上記課題を解決するために、請求項１に係る発明は、車両の車体パネルに取り付けられる取付部と該取付部から突出して他の部材に当接する少なくとも一つの当接部とが押出成形機により押出成形されて設けられ、当接部の少なくとも一部にテープが固着された長尺体を製造する方法であって、押出成形機の口金の内部に形成されたテープ案内通路によって第一のテープを長尺体の第一のテープ固着面に案内して固着させる第一のテープ固着工程と、押出成形機の口金の下流側端面に隣接して配置されたテープ案内治具によって第二のテープを長尺体の第二のテープ固着面に案内して固着させる第二のテープ固着工程とを実行するようにしたものである。
【０００９】
この製造方法では、第一のテープ固着工程では、押出成形機の口金内のテープ案内通路によって第一のテープを口金内の加熱状態（半溶融状態）の長尺体の表面（第一のテープ固着面）に案内して、長尺体の熱で第一のテープと長尺体とを溶着させることで、第一のテープを長尺体に固着させることができる。更に、第二のテープ固着工程では、押出成形機の口金の下流側近傍に配置したテープ案内治具によって第二のテープを口金を出た直後の加熱状態（未冷却状態）の長尺体の表面（第二のテープ固着面）に案内して、長尺体の熱で第二のテープと長尺体とを溶着させることで、第二のテープを長尺体に固着させることができる。このようにすれば、押出成形機の口金に複数のテープ案内通路を形成するスペースが確保できない場合でも、長尺体に複数のテープを固着させることができる。しかも、押出成形機の下流側にテープを固着させるための加熱装置を設ける必要がなく、製造ラインの大型化やコストアップを抑制することができる。
【００１０】
この場合、請求項２のように、口金の下流側端面とテープ案内治具との間に第二のテープを挿通可能なテープ通路が形成されているようにしても良い。このようにすれば、複雑な構造のテープ案内治具（例えば内部にテープ通路が形成されたテープ案内治具）を用いることなく、シンプルな構造のテープ案内治具でテープ通路を形成して第二のテープを長尺体の表面に案内することができる。
【００１１】
また、請求項３のように、長尺体には、第一の当接部と第二の当接部が設けられ、第一のテープ固着工程において、第一のテープ固着面として第一の当接部の表面に第一のテープを固着させ、第二のテープ固着工程において、第二のテープ固着面として第二の当接部の表面に第二のテープを固着させるようにしても良い。このようにすれば、長尺体の第一の当接部と第二の当接部にそれぞれテープを良好に固着させることができる。
【００１２】
更に、請求項４のように、第一の当接部と第二の当接部が取付部の同じ面に設けられ且つ長尺体の長手方向に平行に延びるように並んでいる長尺体に本発明を適用しても良い。このように二つの当接部が近接していて押出成形機の口金に二つのテープ案内通路を形成するスペースを確保することが困難な場合でも、本発明を適用することで二つの当接部にそれぞれテープを良好に固着させることができる。
【００１３】
また、請求項５のように、長尺体には、装飾部が設けられ、第一のテープ固着工程において、第一のテープ固着面として装飾部の表面に第一のテープを固着させ、第二のテープ固着工程において、第二のテープ固着面として当接部の表面に第二のテープを固着させるようにしても良い。このようにすれば、長尺体の装飾部と当接部にそれぞれテープを良好に固着させることができる。また、口金内のテープ案内通路でテープを案内して固着させる第一のテープ固着工程では、第二のテープ固着工程よりもテープをより良好に固着させることが可能である。このため、第一のテープ固着工程で装飾部の表面に第一のテープを固着させることで、装飾部にテープをより良好に固着させることができ、装飾部の見栄えを向上させることができる。
【００１４】
また、請求項６のように、第一のテープと第二のテープのうちの少なくとも一方は、薄膜状の基材と該基材の表面に立設された無数の繊維とを有する植毛テープを用いるようにしても良い。このようにすれば、長尺体の植毛テープが固着された部分（例えば当接部）の摩耗を低減させることができる。また、静電植毛ができない部位や困難な部位でも植毛テープにより低摩擦層を形成することができる。
【図面の簡単な説明】
【００１５】
【図１】図１は本発明の一実施例におけるアウターベルトモールの製造ラインの概略構成を示す図である。
【図２】図２は押出成形機の口金の正面図である。
【図３】図３は図２のＡ−Ａ断面図である。
【図４】図４は図２のＢ−Ｂ断面図である。
【発明を実施するための形態】
【００１６】
以下、本発明を実施するための形態を車両ドアの窓開口下縁に取り付けられる長尺なアウターベルトモールに適用して具体化した一実施例を説明する。
尚、アウターベルトモールの説明における上下方向及び車内外方向とは、アウターベルトモールを車両に取り付けた際の重力方向及び車室内外方向を指す。
【００１７】
図２に示すように、アウターベルトモール１１（長尺体）は、押出成形機２４（図１参照）による熱可塑性ポリマー材料（例えば熱可塑性樹脂や熱可塑性エラストマー等）の押出成形によって、車両のアウタードアパネル（車体パネル）のフランジ部に取り付けられる断面Ｕ字形状の取付部１２と、この取付部１２から車内側（窓板側）に向けて突出して窓板（他の部材）に当接するリップ形状の第一のシールリップ１３（第一の当接部）及び第二のシールリップ１４（第二の当接部）とが一体的に設けられている。
【００１８】
取付部１２には、互いに対向する一対の車内側側壁１５及び車外側側壁１６と、両側壁１５，１６を連結する頂壁１７とが一体的に設けられている。第一及び第二のシールリップ１３，１４は、取付部１２の車内側側壁１５の外側面（つまり同じ面）に設けられ且つアウターベルトモール１１の長手方向に平行に延びるように並んでいる。
【００１９】
また、取付部１２の車内側側壁１５の上端（又は頂壁１７）には、車内側に向けて突出するカバーリップ１８が一体的に設けられ、取付部１２の車外側側壁１６の下端には、車外側シールリップ１９が一体的に設けられている。更に、取付部１２の車内側側壁１５の内側面には、車外側側壁１６に向けて突出する複数の突出部２０が一体的に設けられ、取付部１２の車外側側壁１６の内側面には、車内側側壁１５に向けて突出する保持リップ２１が一体的に設けられている。また、車外側側壁１６の外側部分及び頂壁１７の外側部分が装飾部に相当する。
【００２０】
第一のシールリップ１３の表面のうち少なくとも窓板に当接する面１３ａには、第一のテープ２２（図３参照）が固着され、第二のシールリップ１４の表面のうち少なくとも窓板に当接する面１４ａには、第二のテープ２３（図４参照）が固着されている。尚、図２ではテープ２２，２３の図示が省略されている。第一のシールリップ１３の表面のうち第一のテープ２２が固着される部分が第一のテープ固着面に相当し、第二のシールリップ１４の表面のうち第二のテープ２３が固着される部分が第二のテープ固着面に相当する。
【００２１】
本実施例では、第一及び第二のテープ２２，２３として、薄膜状の基材と、この基材の表面に立設された無数の繊維とを有する植毛テープを用いるようにしている。この植毛テープにより低摩擦層を形成することができる。第一のテープ２２と第二のテープ２３は、同じ種類の植毛テープを用いるようにしても良いし、異なる種類の植毛テープを用いるようにしても良い。
【００２２】
アウターベルトモール１１は、アウタードアパネルのフランジ部に取付部１２を被せて装着したときに、第一及び第二のシールリップ１３，１４が窓板の表面に当接することで、アウタードアパネルと窓板との間をシールリップ１３，１４でシールして車外から異物（例えば、塵、埃、水滴等）が車内に入り込むのを防止すると共に、窓板が昇降移動（開閉移動）したときに窓板の表面に付着した異物をシールリップ１３，１４で拭き取るようになっている。本実施例では、シールリップ１３，１４がリップ形状であるため、窓板に密着し易く、更に、二つのシールリップ１３，１４が設けられているため、拭き取り性や遮音性に優れている。
【００２３】
次に、図１乃至図４を用いて、アウターベルトモール１１の製造装置及び製造方法について説明する。
図１に示すように、押出成形機２４の近傍には、第一のテープ２２が巻き付けられた第一のアンコイラ２５と、第二のテープ２３が巻き付けられた第二のアンコイラ２６が配置されている。本実施例では、押出成形機２４の口金２７（金型）よりも上流側に第一のアンコイラ２５が配置され、押出成形機２４の口金２７よりも下流側に第二のアンコイラ２６が配置されている。図２乃至図４に示すように、押出成形機２４の口金２７には、アウターベルトモール１１に対応した断面形状の押出流路２８が上流側から下流側へ延びるように形成されている。
【００２４】
アウターベルトモール１１を製造する場合には、まず、押出成形機２４により、アウターベルトモール１１の本体部（取付部１２、シールリップ１３，１４等のテープ２２，２３以外の部分）を押出成形する押出成形工程を実行する。この際、第一のアンコイラ２５から送り出される第一のテープ２２を第一のシールリップ１３の表面（第一のテープ固着面）に固着させる第一のテープ固着工程と、第二のアンコイラ２６から送り出される第二のテープ２３を第二のシールリップ１４の表面（第二のテープ固着面）に固着させる第二のテープ固着工程とを実行する。
【００２５】
尚、アウターベルトモール１１の本体部のうち取付部１２は剛性を有する硬質の材料で形成し、シールリップ１３，１４等のアウターベルトモール１１以外の部材に当接する部分は取付部１２を形成する材料よりも軟質の材料で形成することが好ましい。
【００２６】
図３に示すように、押出成形機２４の口金２７の内部には、第一のテープ２２を第一のシールリップ１３の表面に案内するテープ案内通路２９が形成されている。このテープ案内通路２９は、口金２７の上流側端面２７ａ（又は上側端面２７ｂ）から下流に向かって延びると共に押出流路２８の下流側開口部２８ａ付近で押出流路２８のうち第一のシールリップ１３の表面（第一のテープ固着面）に相当する部分に連通するように形成されている。これにより、第一のアンコイラ２５から送り出された第一のテープ２２は、テープ案内通路２９を通って第一のシールリップ１３の表面に案内されるようになっている。第一のシールリップ１３の表面に案内された第一のテープ２２は、テープ案内通路２９の内壁面や押出流路２８の内壁面で第一のシールリップ１３の表面に圧接されるようになっている。
【００２７】
第一のテープ固着工程では、押出成形機２４の口金２７内のテープ案内通路２９によって第一のテープ２２を口金２７内の加熱状態の第一のシールリップ１３の表面（第一のテープ固着面）に案内して、第一のシールリップ１３の熱で第一のテープ２２と第一のシールリップ１３とを溶着させることで、第一のテープ２２を第一のシールリップ１３に固着させる。テープ案内通路２９の内壁面や押出流路２８の内壁面は、第一のシールリップ１３の表面の曲面形状（第一のシールリップ１３の先端部まで第一のテープ２２を固着させる場合には先端部の曲面形状も含む）に対応した曲面形状に形成されている。これにより、第一のシールリップ１３の表面の曲面形状に沿って第一のテープ２２を良好に固着させることができる。
【００２８】
また、図２及び図４に示すように、押出成形機２４の口金２７の下流側には、第二のテープ２３を第二のシールリップ１４の表面（第二のテープ固着面）に案内するテープ案内治具３０が口金２７の下流側端面２７ｃに隣接して配置されている。このテープ案内治具３０と口金２７の下流側端面２７ｃとの間には、第二のテープ２３を挿通可能なテープ通路３１が形成されている。これにより、第二のアンコイラ２６から送り出された第二のテープ２３は、テープ通路３１を通った後、テープ案内治具３０で第二のシールリップ１４の表面に沿った方向に折り返されて第二のシールリップ１４の表面に案内される。第二のシールリップ１４の表面に案内された第二のテープ２３は、テープ案内治具３０の下端面で第二のシールリップ１４の表面に圧接されるようになっている。
【００２９】
第二のテープ固着工程では、押出成形機２４の口金２７の下流側近傍に配置したテープ案内治具３０によって第二のテープ２３を口金２７から出た直後の加熱状態の第二のシールリップ１４の表面（第二のテープ固着面）に案内して、第二のシールリップ１４の熱で第二のテープ２３と第二のシールリップ１４とを溶着させることで、第二のテープ２３を第二のシールリップ１４に固着させる。テープ案内治具３０の下端面は、第二のシールリップ１４の表面の曲面形状（第二のシールリップ１４の先端部まで第二のテープ２３を固着させる場合には先端部の曲面形状も含む）に対応した曲面形状に形成されていることが好ましい。これにより、第二のシールリップ１４の表面の曲面形状に沿って第二のテープ２３を良好に固着させることができる。
【００３０】
この後、図１に示すように、押出成形機２４から押し出されるアウターベルトモール１１（第一及び第二のテープ２２，２３が固着されたアウターベルトモール１１）を引取機３３で引き取りながら冷却水層等の冷却機３２に供給し、この冷却機３２で、アウターベルトモール１１を冷却する。
【００３１】
この後、アウターベルトモール１１を切断機３４に供給し、この切断機３４で、アウターベルトモール１１を所定の長さ寸法で切断する。この後、端末の部分カットや取付具（クリップ）の装着等の仕上げ工程を経て、アウターベルトモール１１の製造が完了する。
【００３２】
以上説明した本実施例では、第一のテープ固着工程では、押出成形機２４の口金２７内のテープ案内通路２９によって第一のテープ２２を口金２７内の加熱状態の第一のシールリップ１３の表面（第一のテープ固着面）に案内して固着させることができ、第二のテープ固着工程では、押出成形機２４の口金２７の下流側近傍に配置したテープ案内治具３０によって第二のテープ２３を口金２７から出た直後の加熱状態の第二のシールリップ１４の表面（第二のテープ固着面）に案内して固着させることができる。これにより、押出成形機２４の口金２７に複数のテープ案内通路を形成するスペースが確保できない場合でも、アウターベルトモール１１に複数のテープ２２，２３を固着させることができる。しかも、押出成形機２４の下流側にテープ２２，２３を固着させるための加熱装置を設ける必要がなく、製造ラインの大型化やコストアップを抑制することができる。
【００３３】
また、本実施例では、口金２７の下流側端面２７ｃとテープ案内治具３０との間に第二のテープ２３を挿通可能なテープ通路３１を形成するようにしている。これにより、複雑な構造のテープ案内治具（例えば内部にテープ通路が形成されたテープ案内治具）を用いることなく、シンプルな構造のテープ案内治具３０でテープ通路３１を形成して第二のテープ２３を第二のシールリップ１４の表面に案内することができる。
【００３４】
また、本実施例では、第一のテープ固着工程で、第一のシールリップ１３の表面に第一のテープ２２を固着させ、第二のテープ固着工程で、第二のシールリップ１４の表面に第二のテープ２３を固着させるようにしている。これにより、アウターベルトモール１１の二つのシールリップ１３，１４にそれぞれテープ２２，２３を良好に固着させることができる。また、口金２７内のテープ案内通路２９でテープ２２を案内して固着させる第一のテープ固着工程では、特に曲面を有する部位において第二のテープ固着工程よりもテープ２２をより安定して固着させることが可能である。このため、第一のテープ固着工程で第一のシールリップ１３の表面にテープ２２を固着させることで、第一のシールリップ１３にテープ２２をより良好に固着させることができ、第一のシールリップ１３（つまり車両にアウターベルトモール１１が取り付けられたときに第二のシールリップ１４の上方に位置して第二のシールリップ１４よりも人目につくシールリップ）の見栄えを向上させることができる。
【００３５】
更に、本実施例では、第一のシールリップ１３と第二のシールリップ１４が取付部１２の同じ面に設けられ且つアウターベルトモール１１の長手方向に平行に延びるように並んでいる。このように二つのシールリップ１３，１４が近接していて押出成形機２４の口金２７に二つのテープ案内通路を形成するスペースを確保することが困難な場合でも、本実施例の製造方法を適用することで二つのシールリップ１３，１４にそれぞれテープ２２，２３を良好に固着させることができる。
【００３６】
また、本実施例では、シールリップ１３，１４に固着されるテープ２２，２３として植毛テープを用いるようにしている。これにより、シールリップ１３，１４の表面に低摩擦層を形成してシールリップ１３，１４の摩耗を低減させることができる。また、静電植毛ができない部位や困難な部位でも植毛テープにより低摩擦層を形成することができる。
【００３７】
尚、上記実施例では、口金２７の下流側端面２７ｃとテープ案内治具３０との間に第二のテープ２３を挿通可能なテープ通路３１を形成するようにしたが、これに限定されず、例えば、テープ案内治具の内部に第二のテープを挿通可能なテープ通路を形成するようにしても良い。
【００３８】
また、上記実施例では、第１及び第２の当接部としてリップ形状の当接部（シールリップ）を設けたアウターベルトモールに本発明を適用したが、第１及び第２の当接部として山形状や半円形状等のスタビライザ形状の当接部を設けたアウターベルトモールや、第１及び第２の当接部のうちの一方がリップ形状で他方がスタビライザ形状のアウターベルトモールに本発明を適用しても良い。
【００３９】
また、第一及び第二のテープを固着させる部位や第一及び第二のテープの種類は、上記実施例で説明した範囲に限定されず、適宜変更しても良い。テープの種類としては、植毛テープ以外に、例えば、装飾テープ、転写テープ、保護テープ等が挙げられる。装飾テープは、他の部位とは異なる色調や質感（金属調、漆調、塗装調等）を付与するテープである。転写テープは、長尺体（成形品）の表面を平滑に整えるために貼り付けられ、長尺体の成形後又は使用時に剥がされる。保護テープは、長尺体（成形品）の表面を保護するために貼り付けられ、長尺体の使用時に剥がされる。また、第一のテープと第二のテープは、同じ種類のテープであっても良いし、異なる種類のテープであっても良い。
【００４０】
例えば、第一のテープ固着工程で、装飾部（例えば車外側側壁の外側部分及び頂壁の外側部分）の表面に第一のテープとして装飾テープを固着させ、第二のテープ固着工程で、当接部（例えば第一のシールリップ）の表面に第二のテープとして植毛テープを固着させるようにしても良い。これにより、装飾部と当接部にそれぞれテープを良好に固着させることができる。また、第一のテープ固着工程では、第二のテープ固着工程よりもテープをより良好に固着させることが可能である。このため、第一のテープ固着工程で装飾部の表面に第一のテープ（装飾テープ）を固着させることで、装飾部にテープをより良好に固着させることができ、装飾部の見栄えを向上させることができる。
【００４１】
また、上記実施例では、本発明をアウターベルトモールに適用したが、これに限定されず、例えば、インナーベルトモール、ガラスランチャンネル、ウインドモール等に本発明を適用しても良い等、押出成形されて当接部の少なくとも一部にテープが固着される種々の長尺体に本発明を適用して実施できる。
【符号の説明】
【００４２】
１１…アウターベルトモール（長尺体）、１２…取付部、１３…第一のシールリップ（第一の当接部）、１４…第二のシールリップ（第二の当接部）、２２…第一のテープ、２３…第二のテープ、２４…押出成形機、２７…口金、２９…テープ案内通路、３０…テープ案内治具、３１…テープ通路
【図１】
2017100395.tif 000003
【図２】
2017100395.tif 000004
【図３】
2017100395.tif 000005
【図４】
2017100395.tif 000006